(57)【要約】【課題】表示部の文字、記号、絵柄等の装飾を立体的に視認することができ、且つ暗い場所においても表示部を立体的に視認でき、多彩な色を表現することができる押釦スイッチ用部材及び押釦スイッチ装置を提供する。【解決手段】キートップ外形形状に成形された凸部３を有し、凸部３の天面部に第１の表示部６が形成された上側樹脂シート２と、凸部３の内側に固着される透明性樹脂部４と、透明性樹脂部４の下側に固着され、第２の表示部７が形成された下側樹脂シート５とを有し、凸部３の天面部を平面から見て、少なくとも第１の表示部６の一部が下側樹脂シート５の第２の表示部７に重なる位置に形成され、第１の表示部６と第２の表示部７との色は、シアン、マゼンダ、イエローのうちの２つの異なる色の組合せである。【選択図】　　　図１
2004079214.tif 000002
【特許請求の範囲】
【請求項１】
キートップ外形形状に成形された凸部を有し、該凸部の天面部に第１の表示部が形成された上側樹脂シートと、前記凸部の内側に固着される透明性樹脂部と、該透明樹脂部の下側に固着され、第２の表示部が形成された下側樹脂シートとを有し、
前記凸部の天面部を平面から見て、少なくとも前記第１の表示部の一部が前記下側樹脂シートの第２の表示部に重なる位置に形成され、
前記第１の表示部と前記第２の表示部との色は、シアン、マゼンダ、イエローのうちの２つの異なる色の組合せであることを特徴とする押釦スイッチ用部材。
【請求項２】
前記第１の表示部の平面形状と前記第２の表示部の平面形状とが相似形であることを特徴とする請求項１に記載の押釦スイッチ用部材。
【請求項３】
電子・電気機器等の各種装置の筐体の一部に照光式スイッチとして用いられる押釦スイッチ装置であって、
前記請求項１又は２に記載の前記押釦スイッチ用部材と、前記下側樹脂シート側から前記凸部の天面部に向かって光を照射する発光源とを有し、
該発光源は、前記第１の表示部と前記第２の表示部との色以外のシアン、マゼンダ、イエローのうちの１色を使用していることを特徴とする押釦スイッチ装置。
【請求項４】
前記発光源の照度を任意の照度に設定変更できる照度調整装置を有することを特徴とする請求項３に記載の押釦スイッチ装置。
【発明の詳細な説明】
【０００１】
【発明の属する技術分野】
この発明は、携帯電話、自動車電話等の移動体通信機器、家庭用電話、ＦＡＸ装置、電子手帳、計測機器類、車載用スイッチ、リモコン或いは、パソコン用キーボードに用いられる押釦スイッチ用部材及び押釦スイッチ装置に関するものである。
【０００２】
より詳しくは、押釦スイッチ用部材のキートップ部の上下に装飾を施すことで装飾を立体的に視認できる押釦スイッチ用部材及び押釦スイッチ装置に関するものである。
【０００３】
【従来の技術】
一般に携帯電話に代表される移動体通信機器、電子手帳、計測器、リモコン或いはパソコン用キーボード等の押釦スイッチにおいては、この押釦スイッチの機能を表示する文字、記号、図柄等の表示部が押釦スイッチ用部材のキートップ上面に印刷形成されているものが多い。
【０００４】
最近では、この押釦スイッチ用部材の上面に印刷表示されている装飾のデザインが多様化し、装飾が立体に見えるデザインが要望されている。このため、この種のものとしては、特開２００２−４２５９８号公報に記載されたようなものがある。
【０００５】
この押釦スイッチ用部材は、透明な樹脂キートップとキーシートから構成され、上面に文字や記号等の表示部が設けられ、且つ裏面に表示部の影が映る反射層が設けられており、操作者は表示部と表示部の影がずれて見えることで表示部の文字、記号、絵柄等の装飾を立体的に認識することができる。
【０００６】
また、他の従来技術としては、特開２００１−１４８２１４号公報に記載されたようなものがある。
【０００７】
この押釦スイッチ用部材は、光硬化性樹脂製の充填物と、この充填物の上側に固着された上側樹脂シートと、この充填物の下側に固着された下側樹脂シートから構成され、上側樹脂シートと下側樹脂シートとは、異なる文字や記号等の表示部が印刷されており、操作者は下側樹脂シートの表示部に上側樹脂シートの表示部が浮かんで見えることで上側樹脂シートの文字、記号、絵柄等の装飾を立体的に認識することができる。
【０００８】
【発明が解決しようとする課題】
しかしながら、従来の表示部の装飾の影がずれて見えることで立体的に見せるようなものにあっては、表示部の影ができない暗い場所や押釦スイッチ用部材の底面の色が黒色である場合においては、表示部の影を視認することができなくなり、表示部が立体的に認識できない問題点があった。
【０００９】
また、従来の上下の表示部の装飾を異なる装飾として下側の装飾に上側の装飾が浮かんで見えることで立体的に見せるようなものにあっては、予め印刷された色を表示することは可能であるが、表示部の色を多彩な色に変えることは困難であった。
【００１０】
そこで、この発明は、以上のような従来の問題点を解消するためになされたもので、表示部の文字、記号、絵柄等の装飾を立体的に視認することができ、且つ暗い場所においても表示部を立体的に視認でき、多彩な色を表現することができる押釦スイッチ用部材及び押釦スイッチ装置を提供することである。
【００１１】
【課題を解決するための手段】
かかる課題を達成するため、請求項１に記載の発明は、キートップ外形形状に成形された凸部を有し、該凸部の天面部に第１の表示部が形成された上側樹脂シートと、前記凸部の内側に固着される透明性樹脂部と、該透明樹脂部の下側に固着され、第２の表示部が形成された下側樹脂シートとを有し、前記凸部の天面部を平面から見て、少なくとも前記第１の表示部の一部が前記下側樹脂シートの第２の表示部に重なる位置に形成され、前記第１の表示部と前記第２の表示部との色は、シアン、マゼンダ、イエローのうちの２つの異なる色の組合せであることを特徴としている。
【００１２】
請求項２に記載の発明は、請求項１に記載の構成に加えて、前記第１の表示部の平面形状と前記第２の表示部の平面形状とが相似形であることを特徴としている。
【００１３】
請求項３に記載の発明は、電子・電気機器等の各種装置の筐体の一部に照光式スイッチとして用いられる押釦スイッチ装置であって、前記請求項１又は２に記載の前記押釦スイッチ用部材と、前記下側樹脂シート側から前記凸部の天面部に向かって光を照射する発光源とを有し、該発光源は、前記第１の表示部と前記第２の表示部との色以外のシアン、マゼンダ、イエローのうちの１色を使用していることを特徴としている。
【００１４】
請求項４に記載の発明は、請求項３に記載の構成に加えて、前記発光源の照度を任意の照度に設定変更できる照度調整装置を有することを特徴としている。
【００１５】
【発明の実施の形態】
以下、この発明の実施の形態を図面を用いて説明する。
【００１６】
［発明の実施の形態１］
図１乃至図３は、この発明の実施の形態１を示す図である。
【００１７】
図１中符号１は、押釦スイッチ用部材であり、この押釦スイッチ用部材１は、図２に示すように、押釦スイッチのキートップ外形形状に合わせた凸部３に成形された上側樹脂シート２と、この上側樹脂シート２の凸部３の内側に直接又は透明性接着剤（図示せず）を介して固着されている熱可塑性もしくは熱硬化性のキートップ用透明性樹脂部４と、この透明性樹脂部４の下側に透明性接着剤８を介して固着された下側樹脂シート５とを有している。
【００１８】
上側樹脂シート２は、基本的には熱可塑性で無色透明或いは有色透明若しくは半透明の樹脂シートが用いられている。この樹脂シートの厚みは３μｍから５００μｍ程度、より好ましくは５μｍから４００μｍ程度である。
【００１９】
さらに、この上側樹脂シート２の凸部３の内側天面部には、正三角形の図形の装飾で、光透過性を有し、色の３原色の１つであるイエローの微少ドットで表示された第１の表示部６が印刷されている。
【００２０】
下側樹脂シートは５は、基本的には熱可塑性で無色透明或いは有色透明若しくは半透明の樹脂シートが用いられている。この樹脂シートの厚みは３μｍから５００μｍ程度、より好ましくは５μから４００μｍ程度とし、この樹脂シートの全光線反射率は０．５以上とする。この樹脂シートの反射率が０．５未満であると、後述する下側樹脂シート５に印刷された第２の表示部７が鮮明に見ることが困難である。
【００２１】
さらに、この下側樹脂シート５の表面には、上側樹脂シート２に印刷された第１の表示部６の平面形状の正三角形の図形と同一の大きさの正三角形の図形の装飾で、透過性を有し、色の３原色であるシアンの微少ドットで表示された第２の表示部７が、図３に示すように、上側樹脂シート２の凸部３を平面から見て凸部３の内側に印刷された第１の表示部６の正三角形の図形と重なる位置に印刷されている。
【００２２】
そして、押釦スイッチ用部材１は電気接点を押圧する突起部を有するゴムカバー部材（図示せず）等と組み合わされて、各種装置の筐体内に、押釦スイッチ用部材１の下側樹脂シート５側から上側樹脂シート２の凸部３の天面部に向かって光を照射する発光源９の上側となる位置に配設される。
【００２３】
発光源９は、各種装置の筐体内に設置された照度調整装置である可変抵抗器（図示せず）と接続され、可変抵抗器により任意の光の照明強度に設定変更することが可能であり、さらに、この発光源９の光を照射する部分は色の３原色であるマゼンダの微少ドットで着色されている。
【００２４】
また、押釦スイッチ用部材１を構成する具体的な材質、製造方法及び成形方法は本出願人が先に出願した、特開２００１−１４８２１４号公報に記載されたものと同様なものである。この押釦スイッチ用部材は、表示部が印刷された樹脂シートに、押釦スイッチのキートップ外形形状にあわせた凸部を成形し、この凸部の内側に、直接又は接着剤を介して光硬化性樹脂製の充填物（透明性樹脂部４）を固着してなり、予め表示部を設けた熱可塑性樹脂シートに押釦スイッチのキートップ外形形状にあわせた凸部を成形する際に、その表示部を設けた凸部の天面部を実質的に引き延ばさないように、その天面部以外の部分を引き延ばして表示部の印刷形状や複数の表示部の位置ずれが生じないように成形するものである。
【００２５】
なお、この発明の実施の形態１では、第１の表示部６の色をイエローとし、第２の表示部７の色をシアンとし、発光源９の色をマゼンダとしているが、これに限定されず、第１の表示部６と第２の表示部７と発光源９との色は、シアン、マゼンダ、イエローの３つの異なる色の組合せでよい。
【００２６】
このように構成された押釦スイッチ装置の押釦スイッチ用部材１は、押釦スイッチ用部材１を平面から見ると上側樹脂シート２に印刷された光透過性のイエローの第１の表示部６と光透過性のシアンの第２の表示部７とマゼンダに着色された発光源９とが重なり合うように構成されているので、発光源９から光が照射されているときには、押釦スイッチ用部材１を平面から見ると第１の表示部６と第２の表示部７との重なる部分Ａの装飾の色が第１の表示部６のイエローと第２の表示部７のシアンと発光源９のマゼンダとが混ざり合い黒色として装飾の色を表示することが可能となる。また、発光源９の光が照射されていないときには、装飾の色が第１の表示部６のイエローと第２の表示部７のシアンとが混ざり合い青緑色として装飾の色を表示することが可能となる。すなわち、第１の表示部６のの色と第２の表示部７の色と発光源９の色との組合せにより装飾の色を表示することができるため、この第１の表示部６と第２の表示部７と発光源９との色の濃度或いは色の組合せを変更することにより、装飾の色を多数色に表示することが可能となる。
【００２７】
さらに、発光源９が可変抵抗器により任意の光の照明強度に設定変更することにより発光源９の色の明るさを変更することができるので、発光源９の光の色で表現されている装飾の色の濃度も発光源９の光の照明強度により変更されるため、第１の表示部６及び第２の表示部７に印刷された文字、記号、絵柄等の装飾の色を任意な色の濃度に表示することが可能となる。
【００２８】
また、押釦スイッチ用部材１を斜め上側から見ると、第１の表示部６の装飾と第２の表示部７の装飾は同一形状の装飾なので、第１の表示部６と第２の表示部７とがずれることにより第２の表示部７が第１の表示部６の影のように見えて装飾が浮かんだように見えるため、立体感のある装飾を備えた押釦スイッチ用部材１とすることが可能となる。さらに、従来のように表示部の影を映し出すことにより表示部を立体的に視認するのではなく、押釦スイッチ用部材の上下の装飾のずれにより表示部を立体的に視認させるので、影を映し出すことが困難な暗い場所等でも発光源９の光を照射することにより、文字、記号、絵柄等の装飾を鮮明に、且つ立体的に視認することが可能である。
【００２９】
［発明の実施の形態２］
図４は、この発明の実施の形態２を示す図である。
【００３０】
この発明の実施の形態２は、実施の形態１の下側樹脂シート５の表面に印刷された第２の表示部７の装飾を上側樹脂シート２に印刷された第１の表示部６の正三角形の装飾に対して大きさの比率を第１の表示部６より大きくした正三角形の装飾で、光透過性を有し、色の３原色の１つであるシアンの微少ドットで表示されている。
【００３１】
また、第１の表示部６と第２の表示部７とは、図４に示すように、上側樹脂シート２の凸部３を平面から見て第１の表示部６は、第２の表示部７の内側に重なるような位置に印刷されている。
【００３２】
なお、この実施の形態２では、第２の表示部７の装飾を第１の表示部６の平面形状の装飾に対して大きな比率の装飾であるが、これに限定されず、第１の表示部６の平面形状の装飾に対して小さな比率の装飾を適用することもできる。
【００３３】
このように構成された押釦スイッチ装置の押釦スイッチ用部材１は、押釦スイッチ用部材１を平面から見ると上側樹脂シート２に印刷された光透過性のイエローの第１の表示部６と光透過性のシアンの第２の表示部７とマゼンダに着色された発光源９とは、重なり合うように構成されているので、発光源９から光が照射されているときには、押釦スイッチ用部材１を平面から見て、第１の表示部６と第２の表示部７とが重なる部分Ｂの装飾の色は第１の表示部６のイエローと第２の表示部７のシアンと発光源９のマゼンダとが混ざり合い黒色として装飾の色を表示することが可能となる。また、押釦スイッチ用部材１を平面から見て、第１の表示部６と第２の表示部７とが重ならない部分Ｃの装飾の色は第２の表示部７のシアンと発光源９のマゼンダとが混ざり合い紫色として装飾の色を表示することが可能となる。
【００３４】
そして、発光源９の光が照射されていないときには、押釦スイッチ用部材１を平面から見て、第１の表示部６と第２の表示部７とが重なる部分Ｂの装飾の色は第１の表示部６のイエローと第２の表示部７のシアンとが混ざり合い青緑色として装飾の色を表示することが可能となる。また、押釦スイッチ用部材１を平面から見て、第１の表示部６と第２の表示部７とが重ならない部分Ｃの装飾の色は第２の表示部７のシアンの青色として装飾の色を表示することが可能となる。
【００３５】
また、押釦スイッチ用部材１を平面から見ると、第１の表示部６の装飾と第２の表示部７の装飾は相似形状の装飾なので、第１の表示部６と第２の表示部７とがずれることにより第２の表示部７が第１の表示部６の影のように見えて装飾が浮かんだように見えるため、立体感のある装飾を備えた押釦スイッチ用部材１とすることが可能となる。さらに、従来のように表示部の影を映し出すことにより表示部を立体的に視認するのではなく、押釦スイッチ用部材の上下の装飾のずれにより表示部を立体的に視認させるので、影を映し出すことが困難な暗い場所等でも発光源９の光を照射することにより文字、記号、絵柄等の装飾を鮮明に、且つ立体的に視認することが可能である。
【００３６】
その他の構成及び作用は発明の実施の形態１と同様であるので重複した説明は省略する。
【００３７】
［発明の実施の形態３］
図５は、この発明の実施の形態３を示す図である。
【００３８】
この発明の実施の形態３は、実施の形態１の下側樹脂シート５の表面に印刷された第２の表示部７の装飾を上側樹脂シート２に印刷された第１の表示部６の正三角形の装飾を１８０度回転させた正三角形の装飾で、光透過性を有し、色の３原色の１つであるシアンの微少ドットで表示されている。
【００３９】
また、第１の表示部６と第２の表示部７とは、図５に示すように、上側樹脂シート２の凸部３を平面からみて少なくとも第１の表示部６の一部が第２の表示部７に重なる位置に印刷されている。
【００４０】
このように構成された押釦スイッチ装置の押釦スイッチ用部材１は、押釦スイッチ用部材１を平面から見ると上側樹脂シート２に印刷された光透過性のイエローの第１の表示部６と光透過性のシアンの第２の表示部７とマゼンダに着色された発光源９とは、少なくとも一部が重なり合うように構成されているので、発光源９から光が照射されているときには、押釦スイッチ用部材１を平面から見て、第１の表示部６と第２の表示部７とが重なる部分Ｄの装飾の色は第１の表示部６のイエローと第２の表示部７のシアンと発光源９のマゼンダとが混ざり合い黒色として装飾の色を表示することができる。また、押釦スイッチ用部材１を平面から見て、第２の表示部７と重ならない第１の表示部６の部分Ｅの装飾の色は第１の装飾部６のイエローと発光源９のマゼンダとが混ざり合い赤色として装飾の色を表示することが可能となる。さらにまた、押釦スイッチ用部材１を平面から見て、第１の表示部６と重ならない第２の表示部７の部分Ｆの装飾の色は第２の装飾部７のシアンと発光源９のマゼンダとが混ざり合い紫色として装飾の色を表示することが可能となる。
【００４１】
そして、発光源９の光が照射されていないときには、押釦スイッチ用部材１を平面から見て、第１の表示部６と第２の表示部７とが重なる部分Ｄの装飾の色は第１の表示部６のイエローと第２の表示部７のシアンとが混ざり合い青緑色として装飾の色を表示することができる。また、押釦スイッチ用部材１を平面から見て、第２の表示部７と重ならない第１の表示部６の部分Ｅの装飾の色は第１の装飾部６のイエローの黄色として装飾の色を表示することが可能となる。さらにまた、押釦スイッチ用部材１を平面から見て、第１の表示部６と重ならない第２の表示部７の部分Ｆの装飾の色は第２の装飾部７のシアンの青色として装飾の色を表示することが可能となる。
【００４２】
その他の構成及び作用は発明の実施の形態１と同様であるので重複した説明は省略する。
【００４３】
なお、この発明の実施の形態では、上側樹脂シート２に印刷された第１の表示部６の装飾と下側樹脂シート７に印刷された第２の表示部７の装飾は相似形の正三角形としているが、これに限定されず、第１の表示部６の装飾と第２の表示部の装飾とを相似形又は異なった文字、記号、絵柄等の装飾を表示してもよい。例えば、第１の表示部６の装飾と第２の表示部７の装飾とを異なる装飾にした場合には、その押釦スイッチ用部材１は下側樹脂シート５の第２の表示部７の装飾に上側樹脂シートの第１の表示部６が浮かんで見え、立体的に視認することが可能で、且つ多彩な装飾の色を表示できる装飾を作り出すことができる。
【００４４】
また、押釦スイッチ用部材１は単一の形態としているが、これに限定されず、複数のつながった押釦スイッチ用部材１であってもよい。このような押釦スイッチ用部材においても、電子・電気機器の各種装置に組込まれるときには電気接点を押圧するための押圧する突起部を有するゴムカバー部材等（図示せず）と組合わされて電子・電気機器装置に組込み設置されることになる。
【００４５】
【実施例】
以下、この発明の実施例について説明する。
【００４６】
［実施例１］
実施例１として、実施の形態１に対応する押釦スイッチ装置を製作した。
【００４７】
厚さ１２５μｍのアクリルシート（住友化学（株）製、商品名テクノロイＳ００１）の片側に光線透過率５０％のインク濃度で色がイエローの正三角形の図形である装飾（以下、第１の表示部という）をカラーレーザープリンター（セイコーエプソン（株）製、商品名インターカラーＬＰ−８８００Ｃ）で印刷した樹脂シート（以下、上側樹脂シートという。）を得た。
【００４８】
そして、この上側樹脂シート２に所定形状の凸部３を形成するために押釦スイッチの投影面に相当する形状で、且つ同じ面積で深さ方向５ｍｍ堀込んだ加熱金型と押釦スイッチを凸状に賦形する冷却用圧空真空成形金型とを用いて行った。
【００４９】
上側樹脂シート２の印刷面を下金型側になるように配置し、加熱金型を１９０℃、冷却用圧空真空成形金型を３０℃に温度調節し、上側樹脂シート２を加熱金型で１秒間、加熱し、続いて１秒間後に圧空真空成形金型の間に加熱された上側樹脂シート２を挿入し、上金型の圧空エア孔より５１ＭＰａの空気圧と、１０６４０Ｐａの真空圧を同時にかけて圧空真空成形し、３秒間の冷却の後に、圧空真空成形金型を開いて、凸形状に賦形されたシート（以下、賦形シートという。）を得た。
【００５０】
次いで、賦形シートの凸部が下になるように治具に設置し、高さ５ｍｍの押釦スイッチ用部材１の凸部５の内側に、エポキシ樹脂配合物をエアディスペンサーにて注入して満たし、厚さ１２μｍのポリエチレンテレフタレート（東洋メタルライジング（株）、商品名ＶＭ−ＰＥＴ、品番１３１０）の片側に光線透過率９０％のインク濃度で色がシアンで、上側樹脂シート２に印刷した第１の表示部６と同一の正三角形の図形である装飾（以下、第２の表示部という。）をカラーレーザープリンター（セイコーエプソン（株）製、商品名インターカラーＬＰ−８８００Ｃ）で印刷した樹脂シート（以下、下側樹脂シートという。）を用いて凸部５に充填されたエポキシ樹脂配合物に気泡が入らないように賦形シートに被せて、硬化温度６０℃、硬化時間３時間で加熱硬化して成形体を得た。そして、この成形体の不要な縁取り部３０を打抜治具によって打ち抜いて、所望の押釦スイッチ用部材１を得た。
【００５１】
なお、エポキシ樹脂配合物は、１ｌのステンレス製ビーカーに主剤としてビスフェノールＡ型エポキシ樹脂、エポキシ当量１９０、粘度１５０００ｍＰａ・ｓ（２３℃）（大日本インキ化学工業（株）製、商品名エピクロン８５０）を１００ｇと、硬化剤として鎖状脂肪族アミン硬化剤、アミン当量５７．５、粘度１０ｍＰａ・ｓ（２３℃）（サンテクノケミカル（株）製、商品名ジェファーミンＤ−２３０）を３０ｇと、シランカプリング剤としてγ−グリシドキシプロピルトリメトキシシラン、分子量２３６、粘度５ｍＰａ・ｓ（２３℃）（信越化学工業（株）製、商品名ＫＢＥ−４０２）を１ｇ投入した。また、この主剤のエポキシ当量と硬化剤のアミン当量との比率は１／１とした。そして、ビーカーに投入後、ステンレス製ヘラを用いて均一に手攪拌を行い、真空脱泡装置を用いて真空度０．１ＭＰａで静置脱泡を３０分間行い、この液面から泡が出てこない状態を目視にて確認して得た配合物を用いた。
【００５２】
次いで、押釦スイッチ用部材１の下側樹脂シート５側から上側樹脂シート２の凸部３の天面部に向かって光を照射できる下側樹脂シート５の下側の位置に、照度調整装置により任意の照度に設定変更可能で、マゼンダに着色したバックライト用のランプ（以下、発光源という。）を配設して、下側樹脂シート５側から任意の照度に設定変更しながら光を照射した。
【００５３】
このようにして得られた押釦スイッチ用部材１は、押釦スイッチ用部材１を平面から見ると上側樹脂シート２の第１の表示部６の装飾のイエローと下側樹脂シート５の第２の表示部７の装飾のシアンと発光源９のマゼンダとが重なりあい、操作者は、イエロー、シアン、マゼンダの３種類が混ざり合った黒色を認識することができた。また、発光源９の照明強度を変更することにより装飾の色の濃度が変わるのを視認することもできた。さらにまた、押釦スイッチ用部材１を斜め上側から見たときには、第１の表示部６と第２の表示部７とがずれて見えることで第２の表示部７が第１の表示部６の影のように見え装飾を立体的に視認することができた。
【００５４】
［実施例２］
実施例２として、実施の形態２に対応する押釦スイッチ装置を製作した。
【００５５】
この実施例２は、実施例１の下側樹脂シート５の第２の表示部７の装飾の大きさの比率を上側樹脂シート２に対して１／２としたことで得られた押釦スイッチ用部材１である。
【００５６】
このようにして得られた押釦スイッチ用部材１は、押釦スイッチ用部材１を平面から見ると上側樹脂シート２の第１の表示部６の装飾のイエローと下側樹脂シート５の第２の表示部７の装飾のシアンと発光源９のマゼンダとが重なりあう部分は、操作者は、イエロー、シアン、マゼンダの３種類が混ざりあった黒色を認識することができた。また、第２の表示部７の装飾において第１の表示部６の装飾と重ならない部分は、操作者は、第２の表示部７のシアンと発光源９のマゼンダの２種類が混ざり合った紫色を認識することができた。
【００５７】
その他の構成及び作用は実施例１と同様であるので重複した説明は省略する。
【００５８】
［実施例３］
実施例３として、実施の形態３に対応する押釦スイッチ装置を製作した。
【００５９】
厚さ１２５μｍのアクリルシート（住友化学（株）製、商品名テクノロイＳ００１）の片側に光線透過率９９％のインク濃度で色がイエローの正三角形の図形である装飾（以下、第１の表示部という。）をインクジェットプリンター（セイコーエプソン（株）製、商品名カラリオＰＭ−８４０Ｃ）で印刷した樹脂シート（以下、上側樹脂シートという。）を得た。
【００６０】
そして、この上側樹脂シート２を用いて、実施例１と同様にして賦形シートを成形し、次いで、賦形シートの凸部が下になるように治具に設置し、高さ１ｍｍの押釦スイッチ用部材１の凸部５の内側に、エポキシ樹脂配合物をエアディスペンサーにて凹部に注入して満たし、厚さ１２μｍのポリエチレンテレフタレート（東洋メタルライジング（株）、商品名ＶＭ−ＰＥＴ、品番１３１０）の片側に光線透過率１０％のインク濃度で色がシアンで、上側樹脂シートに印刷した正三角形の図形を１８０度回転させた正三角形の図形の装飾（以下、第２の表示部という。）をインクジェットプリンター（セイコーエプソン（株）製、商品名カラリオＰＭ−８４０Ｃ）で印刷した樹脂シート（以下、下側樹脂シートという。）を用いて凸部５に充填されたエポキシ樹脂配合物に気泡が入らないように賦形シートに被せて、硬化温度８０℃、硬化時間５時間で加熱硬化して成形体を得た。そして、この成形体の不要な縁取り部３０を打抜治具によって打ち抜いて、所望の押釦スイッチ用部材１を得た。
【００６１】
なお、エポキシ樹脂配合物は、１ｌのステンレス製ビーカーに主剤としてビスフェノールＡ型エポキシ樹脂、エポキシ当量１９０、粘度１５０００ｍＰａ・ｓ（２３℃）（大日本インキ化学工業（株）製、商品名エピクロン８５０）を１００ｇと、硬化剤として環状式アミン硬化剤、化合物名ビス（４−アミノ−３−メチルジシクロヘキシル）メタン、アミン当量５７、粘度６０ｍＰａ・ｓ（２３℃）（ＢＡＳＦ製、商品名ラロミンＣ−２６０）を３０ｇと、シランカプリング剤としてγ−グリシドキシプロピルトリメトキシシラン、分子量２３６、粘度５ｍＰａ・ｓ（２３℃）（信越化学工業（株）製、商品名ＫＢＥ−４０２）を１ｇ投入した。また、この主剤のエポキシ当量と硬化剤のアミン当量との比率は１／１とした。そして、ビーカーに投入後、ステンレス製ヘラを用いて均一に手攪拌を行い、真空脱泡装置を用いて真空度０．１ＭＰａで静置脱泡を３０分間行い、この液面から泡が出てこない状態を目視にて確認して得た配合物を用いた。
【００６２】
次いで、押釦スイッチ用部材１の下側樹脂シート５側から上側樹脂シート２の凸部３の天面部に向かって光を照射できる下側樹脂シート５の下側の位置に、任意の照度に設定変更可能で、マゼンダに着色したバックライト用のランプ（以下、発光源という。）を配設して、下側樹脂シート５側から任意の照度に設定変更しながら光を照射した。
【００６３】
このようにして得られた押釦スイッチ用部材１は、押釦スイッチ用部材１を平面から見ると上側樹脂シート２の第１の表示部６の装飾のイエローと下側樹脂シート５の第２の表示部７の装飾のシアンと発光源９のマゼンダとが重なりあう場所は、操作者は、イエロー、シアン、マゼンダの３種類が混ざり合った黒色を認識することができた。また、第１の表示部６の装飾において第２の表示部７の装飾と重ならない部分は、操作者は、第１の表示部６のイエローと発光源９のマゼンダの２種類が混ざり合った赤色を認識することができた。さらにまた、第２の表示部７の装飾において第１の表示部６の装飾と重ならない部分は、操作者は、第２の表示部７のシアンと発光源９のマゼンダの２種類が混ざり合った紫色を認識することができた。
【００６４】
その他の構成及び作用は実施例１と同様であるので重複した説明は省略する。
【００６５】
［実施例４］
実施例４は、実施例２の第１の表示部６の正三角形の色をマゼンダにしたものと、実施例２の第２の表示部７の正三角形の色をイエローにして第１の表示部６の正三角形に対して大きさの比率を１．０１／１としたものと、実施例２の発光源９の着色の色をシアンにしたことで得られた押釦スイッチ用部材１である。
【００６６】
このようにして得られた押釦スイッチ用部材１は、押釦スイッチ用部材１を平面から見ると上側樹脂シート２の第１の表示部６の装飾のマゼンダと下側樹脂シート５の第２の表示部７の装飾のイエローと発光源９のシアンとが重なりあう部分は、操作者は、イエロー、シアン、マゼンダの３種類が混ざり合った黒色を認識することができた。また、第２の表示部７の装飾において第１の表示部６の装飾と重ならない部分は、操作者は、第２の表示部７のイエローと発光源９のシアンの２種類が混ざり合った青緑色を認識することができた。
【００６７】
その他の構成及び作用は実施例２と同様であるので重複した説明は省略する。
【００６８】
［実施例５］
実施例５は、実施の形態２に対応する押釦スイッチ装置で、第１の表示部６の色をイエローとし、第２の表示部７の色をマゼンダとし、発光源９の着色の色をシアンとしたものを製作した。
【００６９】
厚さ１００μｍのフッ素系樹脂シート（東レ合成フィルム（株）製、商品名トヨフロン、Ｅタイプ）の片側に光線透過率２％のインク濃度で色がイエローの正三角形の図形である装飾（以下、第１の表示部という。）をバブルジェット（登録商標）プリンター（キャノン（株）製、商品名ピクサスＦ９３０）で印刷した樹脂シート（以下、上側樹脂シートという。）を得た。
【００７０】
そして、この上側樹脂シート２を用いて、加熱金型を１９５℃、圧空真空成形金型の空気圧を５１ＭＰａ、真空圧を１１０９０Ｐａとして実施例１と同様にして賦形シートを成形し、次いで、賦形シートの凸部が下になるように治具に設置し、高さ０．８ｍｍの押釦スイッチ用部材１の凸部５の内側に、エポキシ樹脂配合物をエアディスペンサーにて凹部に注入して満たし、厚さ４０μｍのアルミ蒸着シート（東レ合成フィルム（株）、商品名トヨファン、品番３３２９Ｓ）の片側に光線透過率７０％のインク濃度で色がマゼンダで、上側樹脂シートに印刷した正三角形の図形である装飾との大きさの比率が１／３である相似形の正三角形の図形である装飾（以下、第２の表示部という。）をバブルジェット（登録商標）プリンター（キャノン（株）製、商品名ピクサスＦ９３０）で印刷した樹脂シート（以下、下側樹脂シートという。）を用いて凸部５に充填されたエポキシ樹脂配合物に気泡が入らないように賦形シートに被せて、硬化温度８０℃、硬化時間５時間で加熱硬化して成形体を得た。そして、この成形体の不要な縁取り部３０を打抜治具によって打ち抜いて、所望の押釦スイッチ用部材１を得た。
【００７１】
なお、このエポキシ樹脂配合物は、実施例３のエポキシ樹脂配合物と同様なものを用いた。
【００７２】
次いで、押釦スイッチ用部材１の下側樹脂シート５側から上側樹脂シート２の凸部３の天面部に向かって光を照射できる下側樹脂シート５の下側の位置に、照度調整装置により任意の照度に設定変更可能で、シアンに着色したバックライト用のランプ（以下、発光源という。）を配設して、下側樹脂シート５側から任意の照度に設定変更しながら光を照射した。
【００７３】
このようにして得られた押釦スイッチ用部材１は、押釦スイッチ用部材１を平面側から見ると上側樹脂シート２の第１の表示部６の装飾のイエローと下側樹脂シート５の第２の表示部７の装飾のマゼンダと発光源９のシアンとが重なりあう部分は、操作者は、イエロー、シアン、マゼンダの３種類が混ざり合った黒色を認識することができた。また、第２の表示部７の装飾において第１の表示部６の装飾と重ならない部分は、操作者は、第２の表示部７のマゼンダと発光源９のシアンの２種類が混ざり合った紫色を認識することができた。
【００７４】
その他の構成及び作用は実施例１と同様であるので重複した説明は省略する。
【００７５】
［実施例６］
実施例６は、実施例５の押釦スイッチ部材１を構成する部品の材質を変更したもので製作した。
【００７６】
厚さ１００μｍのポリカーボネート系樹脂シート（三菱エンジニアプラスチックス（株）製、商品名ユーピロン）の片側に光線透過率１５％のインク濃度で色がイエローの正三角形の図形である装飾（以下、第１の表示部という。）を熱転写型プリンター（アルプス電気（株）製、商品名ＭＤ−４０００Ｊ）で印刷した樹脂シート（以下、上側樹脂シートという。）を得た。
【００７７】
そして、この上側樹脂シート２を用いて、実施例５と同様にして賦形シートを成形し、次いで、賦形シートの凸部が下になるように治具に設置し、高さ２ｍｍの押釦スイッチ用部材１の凸部５の内側に、エポキシ樹脂配合物をエアディスペンサーにて凹部に注入して満たし、厚さ４０μｍのアルミ蒸着シート（東レ合成フィルム（株）：商品名トヨファン、品番３３２９Ｓ）の片側に光線透過率９８％のインク濃度で色がマゼンダで、上側樹脂シートに印刷した正三角形の図形である装飾との大きさの比率が１／３である相似形の正三角形の図形である装飾（以下、第２の表示部という。）を熱転写型プリンター（アルプス電気（株）製、商品名ＭＤ−４０００Ｊ）で印刷した樹脂シート（以下、下側樹脂シートという。）を用いて凸部５に充填されたエポキシ樹脂配合物に気泡が入らないように賦形シートに被せて、硬化温度８０℃、硬化時間２時間した後にさらに硬化温度１１０℃、硬化時間２時間で加熱硬化して成形体を得た。そして、この成形体の不要な縁取り部３０を打抜治具によって打ち抜いて、所望の押釦スイッチ用部材１を得た。
【００７８】
なお、エポキシ樹脂配合物は、１ｌの金属製容器に挿入されている硬化剤としての４−メチルヘキサヒドロ無水フタル酸、分子量１６８、粘度８０ｍＰａ・ｓ（２３℃）（新日本理科工業（株）製、商品名リカシッドＭＨ−７００）と、１００ｇのポチエチレン製容器に挿入されている硬化促進剤として、１−ベンジル−２−フェニルイミダゾール、分子量２３４、融点４０℃（四国化成工業（株）製、商品名キュアゾール１Ｂ２ＰＺ）とを熱風式オーブン（ヤマト科学（株）製、商品名ＤＫ６００）にて８０℃の温度で２時間放置した。２時間後、熱風式オーブンから硬化剤と硬化促進剤を取り出し、１リットルの金属製角缶容器に硬化剤８８．４ｇと硬化促進剤１ｇを投入し、この金属容器を蓋で密栓して硬化剤と硬化促進剤とが均一に混ざりあうように攪拌した。次に金属製角缶容器の蓋を開け、硬化剤と硬化促進剤とが均一に溶解していることを確認した後に、再び金属製角缶容器に蓋をし、室温で冷却した配合物を硬化剤マスターとした。そして、１リットルのステンレス製ビーカーに主剤ビスフェノールＡ型エポキシ樹脂、エポキシ当量１９０、粘度１５０００ｍＰａ・ｓ（２３℃）（大日本インキ化学工業（株）製、商品名エピクロン８５０）を１００ｇと、硬化剤マスター８９．４ｇと、シランカプリング剤としてγ−グリシドキシプロピルトリメトキシシラン、分子量２３６、粘度５ｍＰａ・ｓ（２３℃）（信越化学工業（株）製、商品名ＫＢＥ−４０２）を１ｇ投入した。そして、ビーカーに投入後、ステンレス製ヘラを用いて均一に手攪拌を行い、真空脱泡装置を用いて真空度０．１ＭＰａで静置脱泡を３０分間行い、この液面から泡が出てこない状態を目視にて確認して得た配合物を用いた。
【００７９】
その他の構成及び作用は実施例５と同様であるので重複した説明は省略する。
【００８０】
【発明の効果】
以上説明したように、請求項１に記載の発明によれば、キートップ外形形状に成形された凸部を有し、該凸部の天面部に第１の表示部が形成された上側樹脂シートと、前記凸部の内側に固着される透明性樹脂部と、該透明性樹脂部の下側に固着され、第２の表示部が形成された下側樹脂シートとを有し、前記凸部の天面部を平面から見て、少なくとも前記第１の表示部の一部が前記下側樹脂シートの第２の表示部に重なる位置に形成され、前記第１の表示部と前記第２の表示部との色は、シアン、マゼンダ、イエローのうちの２つの異なる色の組合せであるので、下側樹脂シートの第２の表示部の装飾に上側樹脂シートの第１の表示部が浮かんで立体的に視認することが可能となり、且つ発光源の上側に配設すれば、発光源の光を照射することにより、影を映し出すことが困難な暗い場所等でも文字、記号、絵柄等の装飾を鮮明に視認することが可能である。また、第１の表示部と第２の表示部との色が混ざり合うことで文字、記号、絵柄等の装飾の色を表現しているため、この第１の表示部と第２の表示部との濃度或いは色の組合せを変更することにより、文字、記号、絵柄等の装飾の色を多数色に表現することが可能となる。さらに、第１の表示部と第２の表示部との色以外の発光源の上に配設することにより、装飾の色を変化させることが可能となる。
【００８１】
請求項２に記載の発明によれば、前記第１の表示部の平面形状と前記第２の表示部の平面形状とが相似形であるので、請求項１に記載の効果に加え、第２の表示部の装飾と第１の表示部とがずれることにより第２の表示部が第１の表示部の影のように見えて、文字、記号、絵柄等の装飾が浮かんだように見えるため立体的に視認できる装飾を備えた押釦スイッチ用部材とすることが可能となる。さらに、従来のように表示部の影を映し出すことにより表示部を立体的に視認するのではなく、上下の装飾のずれにより表示部を立体的に視認させるので、発光源の上側に配設すれば、発光源の光を照射することにより、影を映し出すことが困難な暗い場所等でも文字、記号、絵柄等の装飾を鮮明に、且つ立体的に視認することが可能である。
【００８２】
請求項３に記載の発明によれば、電子・電気機器等の各種装置の筐体の一部に照光式スイッチとして用いられる押釦スイッチ装置であって、前記請求項１又は２に記載の前記押釦スイッチ用部材と、前記下側樹脂シート側から前記凸部の天面部に向かって光を照射する発光源とを有し、該発光源は、前記第１の表示部と前記第２の表示部との色以外のシアン、マゼンダ、イエローのうちの１色を使用しているので、発光源の光が照射されていないときは、押釦スイッチ用部材の文字、記号、絵柄等の装飾の色は、２つの異なる色の組合せで表現されているが、発光源の光が照射されているときには、押釦スイッチ用部材の文字、記号、絵柄等の装飾の色に、さらに、発光源の色と混ぜ合わせた色に変化させることができるため、押釦スイッチ用部材の装飾の色を簡単に変えることが可能である。また、押釦スイッチ用部材の装飾の色と発光源の色の組合せを変更することにより、個性化及び差別化を持たせるために表示部の色の組合せが複数必要なときにも簡単に対応することが可能となる。さらにまた、発光源の光を照射させることにより、影を映し出すことが困難な暗い場所等でも文字、記号、絵柄等の装飾を鮮明に、且つ立体的に視認することが可能となる。
【００８３】
請求項４に記載の発明によれば、前記発光源の照度を任意の照度に設定変更できる照度調整装置を有するので、請求項３に記載の効果に加え、発光源の光の色で表現されている装飾の色の濃度も発光源の照明強度により変更されるため、第１の表示部及び第２の表示部に印刷された文字、記号、絵柄等の装飾の色を任意な色の濃度に表現することが可能となる。
【図面の簡単な説明】
【図１】この発明の実施の形態１に係る押釦スイッチ用部材を上方から見た斜視図である。
【図２】同実施の形態１に係る押釦スイッチ用部材の要部縦断面図である。
【図３】同実施の形態１に係る押釦スイッチ用部材の要部平面図である。
【図４】この発明の実施の形態２に係る押釦スイッチ用部材の要部平面図である。
【図５】この発明の実施の形態３に係る押釦スイッチ用部材の要部平面図である。
【符号の説明】
１　押釦スイッチ用部材
２　上側樹脂シート
３　凸部
４　透明性樹脂部
５　下側樹脂シート
６　第１の表示部
７　第２の表示部
９　発光源
【図１】
2004079214.tif 000003
【図２】
2004079214.tif 000004
【図３】
2004079214.tif 000005
【図４】
2004079214.tif 000006
【図５】
2004079214.tif 000007